(57)【特許請求の範囲】
【請求項１】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、第１電極と、該第１電極よりも前記入力端子列から離れた位置に形成された第２電極とが設けられ、
前記配線として、前記第１電極に導電接続された第１配線と、前記第２電極に導電接続された第２配線とが設けられ、
前記第１配線が、前記入力端子列側から前記第１電極の傍らを経て前記第２電極の傍らまで達した後に逆方向に戻って前記第１電極に達する迂回パターンに形成されていることを特徴とする液晶表示装置。
【請求項２】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、第１電極と、該第１電極よりも前記入力端子列から離れた位置に形成された第２電極とが設けられ、
前記配線として、前記第１電極に導電接続された第１配線と、前記第２電極に導電接続された第２配線とが設けられ、
前記入力端子列側に、複数の前記第１電極が前記入力端子列から離れる方向に連設されてなる第１電極群が設けられ、
該第１電極群の前記入力端子列とは反対側に、複数の前記第２電極が前記入力端子列から離れる方向に連設されてなる第２電極群が設けられ、
前記第１配線は、前記第１電極群の傍らを経て前記第２電極群の傍らまで達した後に逆方向に戻って前記第１電極群内の前記第１電極に達する迂回パターンに形成されていることを特徴とする液晶表示装置。
【請求項３】
一方の前記基板上において、前記第１電極群の傍らにある側方領域に、相互に適宜の間隔で並列した複数の前記第１配線が形成されていることを特徴とする請求項２に記載の液晶表示装置。
【請求項４】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、第１電極と、該第１電極よりも前記入力端子列から離れた位置に形成された第２電極とが設けられ、
前記配線として、前記液晶駆動領域の一側から前記第１電極に導電接続された第１配線と、前記液晶駆動領域の他側から前記第２電極に導電接続された第２配線とが設けられ、
前記第１配線が、前記入力端子列側から前記第１電極の傍らを通過した後に逆方向に戻って前記第１電極に達する迂回パターンに形成されていることを特徴とする液晶表示装置。
【請求項５】
前記迂回パターンは、前記入力端子列側から前記第１電極の傍らを経て前記第２電極の傍らまで達した後に逆方向に戻って前記第１電極に達するように形成されていることを特徴とする請求項４に記載の液晶表示装置。
【請求項６】
前記第１電極及び前記第１配線、並びに、前記第２電極及び前記第２配線がそれぞれ複数組ずつ適宜の間隔で連設されていることを特徴とする請求項１、請求項４又は請求項５に記載の液晶表示装置。
【請求項７】
前記２枚の基板のうち、他方の前記基板上における前記電極として、
前記入力端子列の配列方向に沿って配列された接続端部を有する複数の第３電極が設けられ、
前記配線として、前記第３電極の前記接続端部に導電接続された第３配線が設けられ、
前記複数の第３配線のうち少なくとも一つが、前記入力端子列から前記液晶駆動領域に向けて伸びた後、前記入力端子列の配列方向に沿って伸び、その後屈曲して前記第３電極の前記接続端部に達する迂回パターンに形成されていることを特徴とする請求項１乃至請求項５のいずれか１項に記載の液晶表示装置。
【請求項８】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、前記入力端子列の配列方向に沿って配列された接続端部を有する複数の第３電極が設けられ、
前記配線として、前記第３電極の前記接続端部に導電接続された第３配線が設けられ、
前記複数の第３配線のうち、前記入力端子列の外側の入力端子に導電接続された配線が、前記外側の入力端子列から前記液晶駆動領域に向けて伸びた後、前記液晶駆動領域の前記入力端子列側にある側方領域を埋めるように、前記入力端子列の配列方向に沿って伸び、その後屈曲して前記第３電極の前記接続端部に達する迂回パターンに形成されていることを特徴とする液晶表示装置。
【請求項９】
前記入力端子に接続された駆動用半導体回路が設けられていることを特徴とする請求項１乃至請求項８のいずれか１項に記載の液晶表示装置。
【請求項１０】
一対の基板上にそれぞれ電極が設けられ、前記電極が互いに対向して配置され、一方の前記基板上に、前記電極に接続される配線及び前記配線に接続される入力端子を有してなる液晶表示装置において、
前記電極は、第１電極と、前記第１電極よりも前記入力端子から離れた位置に形成された第２電極とを有しており、
前記配線は、前記第１電極に接続された第１配線と、前記第２電極に接続された第２配線とを有しており、
前記第１配線が、前記入力端子側から前記第１電極の傍らを経て前記第２電極の傍らまで達した後に逆方向に戻って前記第１電極に接続される迂回パターンに形成されていることを特徴とする液晶表示装置。
【請求項１１】
前記第１電極及び前記第２電極を備えた前記基板上の全ての前記電極の一側の端部に前記配線が導電接続されていることを特徴とする請求項１０に記載の液晶表示装置。
【請求項１２】
一対の基板上にそれぞれ複数の電極が設けられ、前記電極が互いに対向して配置され、一方の前記基板上に、前記電極に接続される複数の配線及び前記配線に接続される複数の入力端子を有してなる液晶表示装置において、
前記電極は、複数の電極を有する第１電極群および第２電極群を有し、
前記第２電極群は、前記第１電極群よりも前記入力端子から離れた位置に形成され、
前記配線は、前記第１電極群に接続された第１配線群と、前記第２電極群に接続された第２配線群とを有しており、
前記第１配線群が、前記入力端子側から前記第１電極群の傍らを経て前記第２電極群の傍らまで達した後に逆方向に戻って前記第１電極群に接続される迂回パターンに形成されていることを特徴とする液晶表示装置。
【請求項１３】
前記第１配線群は前記第１電極群の一側の端部から引き出され、前記第２配線群は前記第２電極群の他側の端部から引き出されるように構成されていることを特徴とする請求項１２に記載の液晶表示装置。
【請求項１４】
一対の基板上にそれぞれ電極が設けられ、前記電極が互いに対向して配置され、入力端子及び前記電極に接続され該入力端子側から前記電極に向けて伸びる配線を有してなる液晶表示装置において、
いずれかの前記基板上において、前記配線は、前記入力端子側から前記電極に向かう途中で、一旦前記入力端子側に戻ってから再び前記電極に向かう迂回パターンに形成されていることを特徴とする液晶表示装置。
【発明の詳細な説明】
【０００１】
【発明の属する技術分野】
本発明は液晶表示装置に係り、特に、駆動用ＩＣを実装した液晶表示装置を構成する場合に好適な基板内面上の導電体パターン形状に関する。
【０００２】
【従来の技術】
一般に、液晶パネルにおいては、液晶を挟んで対向する一対の電極のそれぞれに駆動信号を入力させるため、各電極に導電接続された複数の配線が液晶駆動領域の外側に引き出され、それらの先端の入力端子がそれぞれパネル端部に形成され、これら複数の入力端子は適宜に配列されて入力端子列を構成している。ここで、パネル端部に形成された入力端子列がフレキシブル配線基板等の配線部材に接続されるように構成されているタイプの液晶パネルと、同様にパネル端部に配列された入力端子列に対して駆動信号を発生する駆動用ＩＣが実装され、この駆動用ＩＣの入力端子に接続された接続端子列が別途設けられ、この接続端子列に配線部材が接続されるように構成されたＣＯＧ（Chip On Glass）タイプの液晶パネルとがある。
【０００３】
特に、後者のＣＯＧタイプの液晶パネルにおいては、駆動用ＩＣと液晶駆動領域との間における配線の線幅を変えることによって配線抵抗のばらつきを低減し、表示特性の均一性を向上させた液晶表示装置が考案されている。例えば、特開平６−３２４３０２号公報には、液晶駆動領域と駆動用ＩＣとの間の信号配線の長さ、厚さ、幅および形状を変えて駆動用ＩＣの出力抵抗分布を補正し、表示品位を向上させた液晶表示装置が開示されている。
【０００４】
図２には、従来の液晶パネルの一構成例の平面透視図を示す。この液晶パネルは、ガラス等からなる基板１と基板４とをシール材７によって貼り合わせてなり、シール材７の内側に図示しない液晶が封入されている。基板１の内面上には図示上下方向に伸びる多数の信号電極２ａがストライプ状に並列し、この信号電極２ａの図示下端からは信号配線２ｂが引き出されている。この信号配線２ｂはそのまま基板１の張出部１ａ上に出て入力端子となり、張出部１ａ上に実装された駆動用ＩＣ８の図示しない接続パッドに導電接続されている。駆動用ＩＣ８は張出部１ａ上に形成された接続端子９にも導電接続され、この接続端子９は液晶パネルを外部に接続するためのフレキシブル配線基板等の配線部材に接続される。また、張出部１ａ上の左右部分にはそれぞれ接続配線２ｃ，２ｄが形成され、これらの接続配線２ｃ，２ｄの先端に入力端子が形成され、上記駆動用ＩＣ８に導電接続されている。
【０００５】
一方、基板４の内面上には、上記信号電極２ａと対向し、信号電極２ａと直交する方向に伸び複数並列した走査電極３ａと、複数の走査電極３ａのうち図示上半分の走査電極３ａの図示右端に導電接続された走査配線３ｂと、図示下半分の走査電極３ａの図示左端に導電接続された走査配線３ｃとが設けられている。走査配線３ｂ，３ｃは基板４の駆動用ＩＣ８側の端部まで伸び、異方性導電材として構成されたシール材７の上下導通部を介して上記張出部１ａ上の接続配線２ｃ，２ｄに導電接続されている。
【０００６】
上記信号電極２ａと走査電極３ａとが形成されている矩形の平面領域は多数の画素領域がマトリクス状に配列されてなる液晶駆動領域Ａであり、駆動用ＩＣ８から供給される駆動電圧によって画素領域毎に光学状態を制御することができるように構成されている。この液晶駆動領域Ａの周囲における基板１の内面上には上記配線２ｂが形成されていない領域に独立ダミーパターン（図示せず）及び配線ダミーパターン２ｘ、２ｙ等が形成され、液晶駆動領域Ａの周囲における基板４の内面上には上記配線３ｂ，３ｃが形成されていない領域に配線ダミーパターン３ｙ及び独立ダミーパターン３ｘ、等が形成されている。これらのダミーパターンは液晶駆動領域Ａとその外側との間で液晶層の厚さが変化しないようにし、液晶パネルの表示面の外観変化を抑制するためのものである。
【０００７】
【発明が解決しようとする課題】
しかしながら、上記従来の液晶パネルにおいては、信号電極２ａ及び走査電極３ａにそれぞれ接続された複数の配線２ｂ，３ｂ，３ｃからなる配線パターンが液晶駆動領域Ａの周囲に形成されているが、配線パターンの取り回し上の理由から、配線パターン内の各配線の配線長が大きく異なるため、配線抵抗のばらつき範囲、すなわち配線の最大抵抗値と最小抵抗値との比（配線抵抗比）を小さくすることが困難であるという問題点がある。配線抵抗比が大きいと表示画像の色ムラ等を招く。
【０００８】
また、上記配線抵抗比を低減するためには、配線パターン内の配線間の長さのばらつきを補償するように配線の配線幅を増減させる手法がとられているが、配線幅が増減すると配線間隔も増減し、配線幅及び配線間隔のばらつきが大きくなることから配線パターンのパターニングが困難になり、配線の断線や短絡が発生しやすくなるので、製品の歩留まりが低下するという問題点がある。
【０００９】
さらにまた、図２に示す配線ダミーパターン２ｙは隣接する配線２ｂに導電接続されていることから、導電接続された配線ダミーパターン２ｙの存在によって配線２ｂの配線抵抗が影響を受けるため、この配線を通して供給される信号電位にばらつきを生じるという問題点がある。一般には上記の配線ダミーパターン２ｙだけでなく、配線や電極に導電接続された各種の配線ダミーパターンが存在するため、配線ダミーパターンに導電接続された配線や電極と、配線ダミーパターンに導電接続されていない配線や電極との間に信号電位の差が生じ、これが表示品位を損ねる原因となっている。
【００１０】
そこで本発明は上記問題点を解決するものであり、その課題は、配線抵抗比を小さくすることができ、しかも、配線パターン不良を低減することのできる液晶表示装置を提供することにある。
【００１１】
【課題を解決するための手段】
上記課題を解決するために本発明の液晶表示装置は以下に示すものである。ここで、各発明の構成要素に対して括弧書きで示す符号は、液晶パネルの２枚の基板１１，１４を開いた状態を模式的に表す図６に示す符号であり、各構成要素に対応する部分を例示するものである。
【００１２】
最初の本発明は、導電接続された複数の配線及び該配線にそれぞれ導電接続された複数の電極とを備えた電極パターン（１２，１５）を内面上にそれぞれ有する２枚の基板（１１，１４）と、該基板間に配置された液晶と、前記配線に導電接続された複数の入力端子を含む入力端子列とを有する液晶表示装置であって、前記２枚の基板に設けられた前記複数の電極同士が相互に対向してなる液晶駆動領域（Ａ）を有し、前記２枚の基板のうち、一方の前記基板（１４）上における前記電極として、第１電極（１５ａ（１））と、該第１電極よりも前記入力端子列から離れた位置に形成された第２電極（１５ａ（２））とが設けられ、前記配線として、前記第１電極に導電接続された第１配線（１５ｃ（１））と、前記第２電極に導電接続された第２配線（１５ｃ（２））とが設けられ、前記第１配線が、前記入力端子列側から前記第１電極の傍らを経て前記第２電極の傍らまで達した後に逆方向に戻って前記第１電極に達する迂回パターンに形成されていることを特徴とする。
【００１３】
本発明によれば、入力端子列により近い第１電極と、入力端子列から離れた第２電極とを有する場合に、第１電極に導電接続される第１配線を、入力端子列から第１電極の傍らを通過した後に逆方向に戻って第１電極に達する迂回パターンに形成していることにより、入力端子列により近い第１電極に導電接続された第１配線を長く形成することができるので、従来装置に較べて第１配線と第２配線との配線長の相違を低減することができる。したがって、配線の配線長のばらつき範囲が縮小されることから、配線抵抗を揃えるために存在していた配線幅のばらつきを縮小することが可能になり、さらに配線間隔のばらつきも縮小することが可能になるので、配線パターンのパターニングも容易になり、配線パターンの短絡や断線等に起因する配線欠陥を低減することができる。
【００１４】
本願発明においては、従来装置では配線長が短くその結果配線抵抗を揃えるために配線幅が小さかった第１配線を長くしているので、小さな配線幅を有するパターン部分を低減することができ、パターン全体の平均の配線幅を増加させることが可能になる。したがって、小さな配線幅を有するパターンにて発生しやすい配線の断線欠陥の発生を抑制できる効果が特に顕著である。
【００１５】
また、本発明は、導電接続された複数の配線及び該配線にそれぞれ導電接続された複数の電極とを備えた電極パターン（１２，１５）を内面上にそれぞれ有する２枚の基板（１１，１４）と、該基板間に配置された液晶と、前記配線に導電接続された複数の入力端子を含む入力端子列とを有する液晶表示装置であって、前記２枚の基板に設けられた前記複数の電極同士が相互に対向してなる液晶駆動領域（Ａ）を有し、前記２枚の基板のうち、一方の前記基板（１４）上における前記電極として、第１電極（１５ａ（２））と、該第１電極よりも前記入力端子列から離れた位置に形成された第２電極（１５ａ（３））とが設けられ、前記配線として、前記第１電極に導電接続された第１配線（１５ｃ（２））と、前記第２電極に導電接続された第２配線（１５ｂ（３））とが設けられ、前記入力端子列側に、複数の前記第１電極が前記入力端子列から離れる方向に連設されてなる第１電極群（１５Ａ１）が設けられ、該第１電極群の前記入力端子列とは反対側に、複数の前記第２電極が前記入力端子列から離れる方向に連設されてなる第２電極群（１５Ａ２）が設けられ、前記第１配線は、前記第１電極群の傍らを経て前記第２電極群の傍らまで達した後に逆方向に戻って前記第１電極群内の前記第１電極に達する迂回パターンに形成されていることが好ましい。
【００１６】
この手段によれば、入力端子列側にある第１電極群に接続される第１配線が、入力端子列から離れた第２電極群の傍らまで達した後に逆方向に戻る迂回パターンに形成されているので、第１配線の配線長をさらに長くすることができ、その分、配線幅を広くして断線欠陥の発生をより低減することができる。
【００１７】
本発明において、一方の前記基板上において、前記第１電極群の傍らにある側方領域に、相互に適宜の間隔で並列した複数の前記第１配線が形成されていることが好ましい。第１電極群の傍らの側方領域が複数の第１配線によってほぼ均等に埋め尽くされていることによって、複数の第１配線の引き回しパターンが形成される面積を大きくすることができ、第１配線の配線長、配線幅及び配線間隔をそれぞれ大きくすることができるから、さらに、断線不良や短絡不良を低減できる。
【００１８】
次に、本発明の別の液晶表示装置は、導電接続された複数の配線及び該配線にそれぞれ導電接続された複数の電極とを備えた電極パターン（１２，１５）を内面上にそれぞれ有する２枚の基板（１１，１４）と、該基板間に配置された液晶と、前記配線に導電接続された複数の入力端子を含む入力端子列とを有する液晶表示装置であって、前記２枚の基板に設けられた前記複数の電極同士が相互に対向してなる液晶駆動領域（Ａ）を有し、前記２枚の基板のうち、一方の前記基板（１４）上における前記電極として、第１電極（１５ａ（１），１５ａ（２））と、該第１電極よりも前記入力端子列から離れた位置に形成された第２電極（１５ａ（３））とが設けられ、前記配線として、前記液晶駆動領域の一側から前記第１電極に導電接続された第１配線（１５ｃ（１），１５ｃ（２））と、前記液晶駆動領域の他側から前記第２電極に導電接続された第２配線（１５ｂ（３））とが設けられ、前記第１配線が、前記入力端子列側から前記第１電極の傍らを通過した後に逆方向に戻って前記第１電極に達する迂回パターンに形成されていることを特徴とする。
【００１９】
本発明において、前記迂回パターンは、前記入力端子列側から前記第１電極の傍らを経て前記第２電極の傍らまで達した後に逆方向に戻って前記第１電極に達するように形成されていることが好ましい。
【００２０】
本発明において、前記第１電極及び前記第１配線、並びに、前記第２電極及び前記第２配線がそれぞれ複数組ずつ適宜の間隔で連設されていることが好ましい。
【００２１】
本発明において、前記２枚の基板のうち、他方の前記基板（１１）上における前記電極として、前記入力端子列の配列方向に沿って配列された接続端部を有する複数の第３電極（１２ａ（１），１２ａ（２），１２ａ（３），１２ａ（４））が設けられ、前記配線として、前記第３電極の前記接続端部に導電接続された第３配線（１２ｂ（１），１２ｂ（２），１２ｂ（３），１２ｂ（４））が設けられ、前記複数の第３配線のうち少なくとも一つが、前記入力端子列から前記液晶駆動領域に向けて伸びた後、前記入力端子列の配列方向に沿って伸び、その後屈曲して前記第３電極の前記接続端部に達する迂回パターンに形成されていることが好ましい。この手段によれば、第３配線の配線長を大きくすることができるため、配線長が大きくなった第３配線の配線幅を大きくすることができるから、断線不良を低減することができる。
【００２２】
次に、本発明に係るさらに別の液晶表示装置は、導電接続された複数の配線及び該配線にそれぞれ導電接続された複数の電極とを備えた電極パターン（１２，１５）を内面上にそれぞれ有する２枚の基板（１１，１４）と、該基板間に配置された液晶と、前記配線に導電接続された複数の入力端子を含む入力端子列とを有する液晶表示装置であって、前記２枚の基板に設けられた前記複数の電極同士が相互に対向してなる液晶駆動領域（Ａ）を有し、前記２枚の基板のうち、一方の前記基板（１１）上における前記電極として、前記入力端子列の配列方向に沿って配列された接続端部を有する複数の第３電極（１２ａ（１），１２ａ（２），１２ａ（３），１２ａ（４））が設けられ、前記配線として、前記第３電極の前記接続端部に導電接続された第３配線（１２ｂ（１），１２ｂ（２），１２ｂ（３），１２ｂ（４））が設けられ、前記複数の第３配線のうち、前記入力端子列の外側の入力端子に導電接続された配線が、前記外側の入力端子列から前記液晶駆動領域に向けて伸びた後、前記液晶駆動領域の前記入力端子列側にある側方領域を埋めるように、前記入力端子列の配列方向に沿って伸び、その後屈曲して前記第３電極の前記接続端部に達する迂回パターンに形成されていることを特徴とする。この手段によれば、第３配線の配線長を大きくすることができるため、配線長が大きくなった第３配線の配線幅を大きくすることができるから、断線不良を低減することができる。
【００２３】
また、本発明に係る液晶表示装置は、一対の基板（１１，１４）上にそれぞれ電極が設けられ、前記電極が互いに対向して配置され、一方の前記基板上に、前記電極に接続される配線及び前記配線に接続される入力端子を有してなる液晶表示装置において、前記電極は、第１電極（１５ａ（１））と、前記第１電極よりも前記入力端子から離れた位置に形成された第２電極（１５ａ（２））とを有しており、前記配線は、前記第１電極に接続された第１配線（１５ｃ（１））と、前記第２電極に接続された第２配線（１５ｃ（２））とを有しており、前記第１配線が、前記入力端子側から前記第１電極の傍らを経て前記第２電極の傍らまで達した後に逆方向に戻って前記第１電極に接続される迂回パターンに形成されていることを特徴とする。
【００２４】
本発明において、前記第１電極及び前記第２電極を備えた前記基板上の全ての前記電極の一側の端部に前記配線が導電接続されている場合がある。例えば、後述する図９に表された構成例における基板２４上のパターン構造である。
【００２５】
また、本発明に係る液晶表示装置は、一対の基板（１１，１４）上にそれぞれ複数の電極が設けられ、前記電極が互いに対向して配置され、一方の前記基板上に、前記電極に接続される複数の配線及び前記配線に接続される複数の入力端子を有してなる液晶表示装置において、前記電極は、複数の電極を有する第１電極群（１５Ａ１）および第２電極群（１５Ａ２）を有し、前記第２電極群は、前記第１電極群よりも前記入力端子から離れた位置に形成され、前記配線は、前記第１電極群に接続された第１配線群（１５ｃ）と、前記第２電極群に接続された第２配線群（１５ｂ）とを有しており、前記第１配線群が、前記入力端子側から前記第１電極群の傍らを経て前記第２電極群の傍らまで達した後に逆方向に戻って前記第１電極群に接続される迂回パターンに形成されていることを特徴とする。
【００２６】
本発明において、前記第１配線群は前記第１電極群の一側の端部から引き出され、前記第２配線群は前記第２電極群の他側の端部から引き出されるように構成されている場合がある。
【００２７】
さらに、別の本発明に係る液晶表示装置は、一対の基板（１１，１４）上にそれぞれ電極が設けられ、前記電極が互いに対向して配置され、入力端子及び前記電極に接続され該入力端子側から前記電極に向けて伸びる配線を有してなる液晶表示装置において、いずれかの前記基板上において、前記配線は、前記入力端子側から前記電極に向かう途中で、一旦前記入力端子側に戻ってから再び前記電極に向かう迂回パターンに形成されていることを特徴とする。この発明によれば、入力端子から電極端部までの距離に応じて迂回パターンにより配線長を変えることができるので、配線長のばらつきを低減することができるから配線幅のばらつきも抑制できるため、配線欠陥の発生を低減することが可能になる。
【００２８】
本発明において、前記電極は前記入力端子に向けて伸び、前記配線は、前記入力端子側から前記電極の端部まで伸びていることが好ましい。
【００２９】
なお、上記各発明においては、配線を迂回パターンに形成することによって、従来配線ダミーパターンが形成されていた部分を配線で覆うことができるようになるため、配線ダミーパターンを形成する必要がなくなり、その結果、配線ダミーパターンによる配線や電極の信号電位への影響が解消されるので、当該影響を補償するために配線幅を大きく変える必要もなくなり、配線欠陥を低減し、表示品位を向上させることが可能になる。
【００３０】
【発明の実施の形態】
次に、添付図面を参照して本発明に係る液晶表示装置の実施形態について詳細に説明する。図１は本発明に係る液晶表示装置における液晶パネルの概略平面透視図である。また、図１のIV−IV線に沿って切断した断面を図４に模式的に示し、図１のＶ−Ｖ線に沿って切断した断面を図５に模式的に示す。
【００３１】
液晶パネル１０は、一対のガラスやプラスチック等からなる基板１１、１４によってシール材１７を介して図４及び図５に示す液晶層１８を挟持した構造を備えている。基板１１の内面にはＩＴＯ等の透明導電体などからなる内面パターン１２が形成され、この内面パターン１２の上に配向膜１３が形成されている。一方、基板１４の内面上には上記と同様の内面パターン１５が形成され、この内面パターン１５の上に配向膜１６が形成されている。
【００３２】
また、基板１１には基板１４の外形よりも外側に張り出した張出部１１ａが設けられ、この張出部１１ａの表面上には、後述する配線パターンの一部の先端に設けられた入力端子及び接続端子１９に導電接続されるように駆動用ＩＣ２０が実装されている。
【００３３】
図３には、基板１１の内面図（ａ）及び基板１４の内面図（ｂ）を示す。図３（ａ）に示すように、基板１１の内面上に形成された内面パターン１２には、図示上下方向に伸びる複数の信号電極１２ａが並列するように形成され、これら信号電極１２ａの図示下端の接続端部にはそれぞれ信号配線１２ｂが導電接続されている。信号配線１２ｂは張出部１１ａの表面上に引き出されるように形成され、その先端が入力端子となり、これらの入力端子は図示横方向に配列された入力端子列１２ｂｔを構成している。
【００３４】
また、基板１１の張出部１１ａの表面上には、上記入力端子列１２ｂｔの左右両側にそれぞれ複数の接続配線１２ｃ，１２ｄが形成され、これらの接続配線１２ｃ，１２ｄはシール材１７の形成領域から張出部１１ａ上に伸び、その先端が入力端子となり、これらの入力端子は図示上下方向に配列された入力端子列１２ｃｔ，１２ｄｔを構成している。
【００３５】
上記信号電極１２ａの周囲には、上記信号電極及び信号配線に導電接続されている配線ダミーパターン１２ｘ、上記信号電極及び信号配線に導電接続されていない独立ダミーパターン１２ｙ、１２ｚが形成されている。配線ダミーパターン１２ｘは信号電極１２ａが形成された液晶駆動領域Ａの図示上方の側方領域に設けられ、独立ダミーパターン１２ｙ、１２ｚは液晶駆動領域Ａの図示左右にある側方領域に設けられている。
【００３６】
なお本明細書において、ダミーパターンとは非点灯領域（液晶駆動領域Ａ以外の部分）に形成されたパターンのことである。また、配線ダミーパターンとは、電極又は配線に導電接続されているダミーパターンであり、独立ダミーパターンとは、電極又は配線に導電接続されていないダミーパターンである。
【００３７】
一方、図３（ｂ）に示すように、基板１４の内面上に形成された内面パターン１５には、図示左右方向に伸びる複数の走査電極１５ａと、走査電極１５ａのうち図３（ａ）の入力端子列１２ｂｔ，１２ｃｔ，１２ｄｔの側に配置された第１電極群１５Ａ１に属する走査電極１５ａに対して液晶駆動領域Ａの一側（図示左側）から接続された走査配線１５ｃと、図１に示す入力端子列とは反対側に配置された第２電極群１５Ａ２に属する走査電極１５ａに対して液晶駆動領域Ａの他側（反対側、図示右側）から接続された走査配線１５ｂとが設けられている。
【００３８】
この基板１４上において液晶駆動領域Ａの図示左右にある側方領域のうち、第１電極群１５Ａ１の側方にある領域部分は走査配線１５ｂ、１５ｃによってほぼ全体が埋め尽くされ、その結果、これらの領域部分には配線ダミーパターンと独立ダミーパターンのいずれもが形成されていない。特に液晶駆動領域Ａの図示左側にある側方領域は従来構造では３／４ほどが配線ダミーパターンで覆われていたが、本実施形態ではほぼ半分（第１電極群１５Ａ１の側方にある部分）が完全に走査配線１５ｃによって埋め尽くされ、その結果、第２電極群１５Ａ２の側方（図示左側方）の部分にのみ配線ダミーパターン１５ｙが形成されている。一方、液晶駆動領域Ａの図示上下にある側方領域には独立ダミーパターン１５ｘが形成されている。
【００３９】
液晶パネル１０において、上記の走査配線１５ｂ，１５ｃは基板１４の端部にまで伸び、そこで、シール材１７の上下導通部１７ａ（図１参照）を介して基板１１上に形成された上述の接続配線１２ｃ，１２ｄに導電接続されている。上下導通部１７ａには図５に示すように多数の導電性粒子が含まれ、この導電性粒子が上下導通部１７ａに異方性導電体としての機能を与えている。
【００４０】
本実施形態の基板１１上の内面パターン１２においては、図３（ａ）に示すように、入力端子列１２ｂｔの配列方向に配列された接続端部を有する複数の信号電極１２ａに対してそれぞれ信号配線１２ｂが導電接続されている。この信号配線１２ｂは、入力端子列１２ｂｔから一旦液晶駆動領域Ａに向けて伸びた後、屈曲して上記入力端子列１２ｂｔの配列方向に沿って伸び、さらに屈曲して再び液晶駆動領域Ａに向けて伸びて信号電極１２ａの接続端部に接続されている。
【００４１】
このように、本実施形態の信号配線１２ｂは図２に示す従来構造に較べて配線長が長くなるとともに、配線パターンの占める面積が増大しており、その結果、液晶駆動領域Ａの入力端子列１２ｂｔ側の側方領域がほとんど配線パターンにて占有されているので、従来構造で形成されていた配線ダミーパターン２ｙの少なくとも一部を形成する必要がなくなる。特に図示例ではダミーパターンが全く形成されていないので、配線ダミーパターン２ｙに導電接続された信号配線１２ｂと、配線ダミーパターン２ｙに導電接続されていない他の配線との間に生ずる配線抵抗のばらつきを低減することができる。
【００４２】
また、上記のように配線を屈曲させることによって配線長が長くなった信号配線については配線幅を大きくし、配線抵抗比が却って小さくなるようにしている。また、配線幅を大きくしても、配線パターンの占有面積を増加させることによって、配線間隔が小さくならないように構成されている。このようなパターン構成を採ることによって、信号配線１２ｂ全体のパターンにおいては、配線間隔の縮小に起因する短絡欠陥を抑制しつつ、配線幅の増加によって断線欠陥の発生確率を低減することができる。
【００４３】
一方、基板１４上の内面パターン１５においては、走査配線１５ｃが入力端子列側から一旦第１電極群１５Ａ１の側方を通過し、その後、逆方向に戻るという迂回パターンを介して第１電極群１５Ａ１内の各走査電極１５ａに導電接続されている。したがって、液晶駆動領域Ａの図示左側にある第１電極群１５Ａ１の側方領域は走査配線１５ｃによってほぼ完全に埋め尽くされ、配線ダミーパターンは全く形成されていない。また、上記の走査配線１５ｃの迂回パターン形状によって配線長をかせぐことができるので、その分、配線幅を大きくして断線欠陥の発生率を低減できる。また、従来構造において配線ダミーパターンが形成されていた側方領域を占有することによって配線間隔の減少を抑制することができる。
【００４４】
以上説明した本実施形態では、従来構造においてダミーパターンが形成されていた領域にも配線パターンを形成することにより、配線パターンの占める面積を拡大し、しかも従来構造において短い配線長を備えていた配線部分（上記走査配線１５ｃ）の配線長を長くすることができたので、パネルの配線長のばらつき範囲を低減することが可能になり、配線幅や配線間隔を適宜に設定することにより、全体として配線抵抗比を従来の半分若しくはそれ以下にすることができた。その結果、液晶パネルの表示品位を向上させることができた。
【００４５】
また、従来構造において配線長が短くその結果配線幅が小さかった配線部分（１５ｃ、１２ｂ）の配線長及び配線幅を増加せしめることが可能になったので、断線不良の発生確率を大きく低減し、製造工程の安定性の向上と、製品の歩留まりの向上とを達成することができた。また、例えば、従来の液晶パネルでは、入力端子に近い電極に接続される配線は、その配線幅が細く、その長さが短くなるように設けられ、入力端子から離れた電極に接続される配線ほど、その配線幅が太く、その長さが長くなるように設けられているが、本発明によって、各配線の配線幅及び長さのばらつきを低減することができるので、パターニング時におけるパターン精度のばらつきを全体で一様とすることができる。即ち、従来の液晶パネルにおいて、幅が細い配線と、幅が太い配線とが混在して設けられていた場合に、パターニング時に全体のパターン寸法が小さくなったときに、幅が細い配線がより大きな影響を受けて、断線し易くなる不具合を防止することができる。
【００４６】
次に、図７乃至図９を参照して上記実施形態の各種変形例について説明する。
【００４７】
図７は、上記実施形態の基板１１の代わりに用いることのできる基板１１’の表面上に形成された内面パターン１２’を示すものである。この内面パターン１２’においては、信号電極１２ａ’に接続された信号配線１２ｂ’に、入力端子列１２ｂｔ’の側から信号電極１２ａ’に向かう途中で、一旦入力端子列１２ｂｔ’側に戻ってから再び信号電極１２ａ’に向かう迂回パターンを有している。
【００４８】
この迂回パターンを、図示のように一部の信号配線１２ｂ’のみ、特に、信号配線両端部間の距離、すなわち入力端子列１２ｂｔ’と信号電極１２ａ’との距離、が短い信号配線にのみ設けることによって、その信号配線の配線長を長くし、しかも配線幅を大きくすることができるので、断線欠陥を低減することが可能になる。
【００４９】
また、上記迂回パターンを、複数設けられた信号配線１２ｂ’の全てに設けても構わない。この場合には、複数の信号配線１２ｂ’の配線長を全体的に長くするとともに配線幅を大きく形成することが可能になるので、全体的に断線欠陥を低減することができる。
【００５０】
さらに、上記のいずれの場合においても、配線パターンの占有面積を増大させることができるので、配線ダミーパターンを形成する必要性を低減し若しくは無くすことが可能になるから、一部の信号配線１２ｂ’にのみ配線ダミーパターンが導電接続されることによる配線抵抗のばらつきを低減し若しくは無くすことができる。
【００５１】
図８は、上記実施形態の基板１４の代わりに用いることのできる基板１４’上の内面パターン１５’の形状を示すものである。なお、この図８は、図示の都合上、上記実施形態の図面に対してやや拡大した倍率で模式的に示してある。この内面パターン１５’においては、液晶駆動領域Ａ内に複数の走査電極１５ａ’がストライプ状に形成されているが、これらの走査電極１５ａ’は４つのグループ、すなわち第１電極群１５Ａ１’、第２電極群１５Ａ２’、第３電極群１５Ａ３’及び第４電極群１５Ａ４’に分かれる。これらの各電極群は、図１に示す液晶パネルとして組み立てられた状態で、第１電極群１５Ａ１’が入力端子に最も近く、第２電極群１５Ａ２’、第３電極群１５Ａ３’、第４電極群１５Ａ４’になるに従って入力端子から次第に遠ざかるように配置されている。
【００５２】
第１電極群１５Ａ１’に属する走査電極１５ａ’は、液晶駆動領域Ａの図示左側に配置された走査配線１５ｂ’に導電接続され、第２電極群１５Ａ２’に属する走査電極１５ａ’は、液晶駆動領域Ａの図示右側に配置された走査配線１５ｂ’に導電接続され、第３電極群１５Ａ３’に属する走査配線１５ａ’は、液晶駆動領域Ａの図示左側に配置された走査配線１５ｄ’に導電接続され、第４電極群１５Ａ４’に属する走査配線１５ａ’は、液晶駆動領域Ａの図示右側に配置された走査配線１５ｅ’に導電接続されている。すなわち、第１電極群１５Ａ１’から第４電極群１５Ａ４’に向けて、走査電極１５ａ’の導電接続される走査配線が左右に交互に配置されていることとなる。
【００５３】
このように３以上の電極群についてそれぞれ液晶駆動領域Ａの一側と他側に交互に走査配線１５ｂ’，１５ｃ’，１５ｄ’，１５ｅ’を配置していくことによって、各走査配線の配線長のばらつきをより低減することが可能になり、しかもそれに応じて配線幅のばらつきも低減できる。また、内面パターン１５’を全体としてより一様に形成することができ、平面的な配線パターンの充填性を向上させることができるので、ダミーパターンの必要性をさらに低減できる。
【００５４】
図９は、液晶表示装置の別の構成例における基板２１，２４の内面パターンを模式的に示すものである。この構成例においては、基板２１上の内面パターン２２の電極形成部分と、これに対向する基板２４上の内面パターン２５の電極形成部分とによって画成される液晶駆動領域Ｂが、基板２１，２４の図示右側に偏った位置に配置されている。そして、基板２４上においては、液晶駆動領域Ｂ内にてストライプ状に設けられた複数の走査電極２５ａの全てが、液晶駆動領域Ｂの図示左側に配置された走査配線２５ｂに導電接続されている。
【００５５】
ここで、走査配線２５ｂのうちの少なくとも一部、特に、液晶パネルの入力端子に近い位置（図示上方位置）に配置された走査電極２５ａに導電接続された走査配線２５ｂは、入力端子側から、入力端子により遠い位置（図示下方位置）に配置された走査電極２５ａの傍ら（図示左側方）にまで達した後に逆方向（図示上方向）に戻ってから走査電極２５ａに接続されるように構成されている。
【００５６】
基板２１上においては、液晶駆動領域Ｂ内には、上記走査電極２５ａと対向配置されるストライプ状の複数の信号電極２２ａが形成され、これらの信号電極２２ａにはそれぞれ信号配線２２ｂが導電接続されている。また、基板２４上の走査配線２５ｂに対して図示しない上下導通部を介して導電接続されるべき接続配線２２ｃもまた形成されている。さらに、液晶駆動領域Ｂの図示左側には、上記走査配線２５ｂと対向するべき独立ダミーパターン２２ｘが形成されている。なお、この構成例の信号配線２２ｂは、上記実施形態の信号配線１２ｂや図７に示す構成例の信号配線１２ｂ’と同様の迂回パターンに形成されていても構わない。
【００５７】
なお、本発明の液晶表示装置は、上述の図示例にのみ限定されるものではなく、本発明の要旨を逸脱しない範囲内において種々変更を加え得ることは勿論である。例えば、上記の各実施形態及び他の構成例は、いずれもパッシブマトリクス型の液晶表示装置を構成するものとして説明しているが、本発明は、アクティブマトリクス型などの他の形式の液晶表示装置を構成する場合にも適用することができるものである。
【００５８】
【発明の効果】
以上、説明したように本発明によれば、配線抵抗比を低減して表示品位を向上させることができるとともに、配線不良を低減することができるため製造歩留まりを向上できる。
【図面の簡単な説明】
【図１】本発明に係る液晶表示装置の実施形態の概略平面透視図である。
【図２】従来の液晶表示装置の概略平面透視図である。
【図３】同実施形態における基板１１の内面パターンを示す概略平面図（ａ）及び基板１４の内面パターンを示す概略平面図（ｂ）である。
【図４】図１に示すIV−IV線に沿って切断した断面を模式的に示す概略断面図である。
【図５】図１に示すＶ−Ｖ線に沿って切断した断面を模式的に示す概略断面図である。
【図６】本発明の液晶表示装置の構成要素を例示するための概略構成図である。
【図７】本発明に係る別の構成例における内面パターンを模式的に示す基板の概略平面図である。
【図８】本発明に係るさらに別の構成例における内面パターンを模式的に示す基板の概略平面図である。
【図９】本発明に係る異なる別の構成例における内面パターンを模式的に示す基板の概略平面図（ａ）及び（ｂ）である。
【符号の説明】
１０  液晶パネル
１１，１４  基板
１２，１５  内面パターン
１２ａ  信号電極
１２ｂ  信号配線
１２ｃ，１２ｄ  接続配線
１２ｂｔ、１２ｃｔ、１２ｄｔ  入力端子列
１３，１６  配向膜
１５ａ  走査電極
１５ｂ，１５ｃ  走査配線
１５Ａ１  第１電極群
１５Ａ２  第２電極群
１７  シール材
１８  液晶層
１９  接続端子
２０  駆動用ＩＣ
Ａ，Ｂ  液晶駆動領域
【図１】
0004013476.tif 000002
【図２】
0004013476.tif 000003
【図３】
0004013476.tif 000004
【図４】
0004013476.tif 000005
【図５】
0004013476.tif 000006
【図６】
0004013476.tif 000007
【図７】
0004013476.tif 000008
【図８】
0004013476.tif 000009
【図９】
0004013476.tif 000010